(57)【要約】【技術課題】床暖房用温水マットにおいて、フローリング材をマット本体の小根太に対して釘打ちする際の釘打ち禁止領域を従来の１／２に減少させて間違った位置に釘打ちする確率を従来の１／２に軽減する。【解決手段】四角形から成る一枚のマット本体１の上辺１ａと下辺１ｂから小根太２ａ、２ｂを挿入し、この前記小根太２ａ、２ｂの先端間に配管横断スペース１０を形成する。その上で、前記配管横断スペース１０と横並びの位置に、補助小根太１１を挿入し、フローリング材４が配管横断スペース１０にかかった場合には、補助小根太１１に釘打ちを行う。この結果、従来に比較して、釘打ち禁止領域は１／２となり、この分、誤って釘打ちする確率も従来の１／２となる。【選択図】図１
2009002624.tif 000002
【特許請求の範囲】
【請求項１】
ａ．四角形から成る一枚のマット本体の対向する上下の辺から、それぞれ同一ピッチで平行に小根太を挿入したこと、
ｂ．前記対向して挿入した小根太のそれぞれの先端間には、前記小根太で区画された直近の配管領域に温水パイプを横断させるための配管横断スペースを形成したこと、
ｃ.前記配管横断スペースと横並びとなる位置に、前記小根太と平行に補助小根太を挿入したこと、
ｄ.床仕上げ用のフローリング材であって、前記配管横断スペース上を横断し、且つ前記補助小根太にかかるものの場合には、前記小根太に併せて、この補助小根太に釘打ちして固定し、それ以外の位置のフローリング材は、前記小根太にそれぞれ釘打ちして固定すること、
ｅ．を特徴とする床暖房用温水マット。
【請求項２】
ａ．四角形から成り、この中間で２つ折りに折り畳み線で折り畳むことができるマット本体の場合には、前記折り畳み線及びこの折り畳み線と対向する上下の辺から、それぞれ同一ピッチで平行に小根太を挿入したこと、
ｂ．前記対向して挿入した小根太のそれぞれの先端間には、前記小根太で区画された直近の配管領域に温水パイプを横断させるための配管横断スペースを形成したこと、
ｃ.前記配管横断スペースと横並びとなる位置に、前記小根太と平行に補助小根太を挿入したこと、
ｄ.床仕上げ用のフローリング材であって、前記配管横断スペース上を横断し、且つ前記補助小根太にかかるものの場合には、前記小根太に併せて、この補助小根太に釘打ちして固定し、それ以外の位置のフローリング材は、前記小根太にそれぞれ釘打ちして固定すること、
ｅ．を特徴とする床暖房用温水マット。
【請求項３】
前記マット本体に平行に挿入された小根太間であって、配管領域の中央にマット本体の折り畳み線がかかる場合には、この折り畳み線にかかる部位を外して前記補助小根太を挿入するか、この折り畳み線がかかる配管領域には、補助小根太を挿入しないこと、を特徴とする請求項１又は２に記載の床暖房用温水マット。
【請求項４】
前記補助小根太は、小根太間の前記配管領域ごとに挿入されていること、を特徴とする請求項１又は２又は３に記載の床暖房用温水マット。
【請求項５】
前記補助小根太は、必要に応じて間引きして挿入されていること、を特徴とする請求項１又は２又は３に記載の床暖房用温水マット。
【請求項６】
マット本体を二枚敷きに敷設する場合には、二枚のマット本体の上辺側を中間でそれぞれ突き合わせて二枚のマット本体のそれぞれの小根太が一直線上に連続するよう敷設すること、を特徴とする請求項１に記載の床暖房用温水マット。
【発明の詳細な説明】
【技術分野】
【０００１】
本発明は、マット本体内に小根太を挿入し、この小根太間に温水パイプを蛇行配管すると共に、前記小根太上にフローリング材を釘打ちして床張りを行う所謂フローリング仕上げに用いられる床暖房用温水マットに関する。
【背景技術】
【０００２】
従来のこの種床暖房用温水マットを図５に示す。この温水マットにおいて、マット本体１は、図５に示すように、木製の小根太２と称されるものが上下の辺から交互に通常３０３ｍｍピッチで挿入されていて、３０３ｍｍ幅のフローリング材４は、図６に示すように、釘５を用いてこの小根太２に固定している。しかし、小根太２は、図５で明らかなように、マット本体１の上下の辺のところにおいては１本おきに切れていて、ここに配管横断スペース１０が形成されていることから、この配管横断スペース１０の領域Ａは釘打ち禁止領域に指定されている。
しかし、マット本体１の表面には、図６に示すように、アルミシート３が全面に貼りつけてあることから、このアルミシート３に釘打ち禁止領域Ａが隠れてしまうため、誤って釘５を打ちつけて、この釘５が温水パイプ６を貫通したりすることがある。
【０００３】
このようなトラブルを回避するために、アルミシート３の表面には小根太２の位置を示す目印がつけてあるが、それでも、釘打ち箇所を誤ってしまうというトラブルが発生している。
図５において、符号の７は、熱源機から送られて来た温水を温水パイプ６内に供給し、マット本体１を一巡して来た温水を再度熱源機側に返送するために、マット本体１に取り付けられた温水ヘッダー、図６において、８は下地材である。
【０００４】
このように釘５が小根太２を外れると、フローリング材４の留め強度（床強度）が不足するばかりでなく、釘５が温水パイプ６を貫通したりすると、水漏れが発生する。
そして、この水漏れは、フローリング材４を張り終わった後の水漏れテストにおいて発見されるため、この水漏れが発生すると、水漏れ箇所をつきとめ、その部分のフローリング材４を剥がし取り、補修等の処置をしなければならないことから、大変な手間がかかる。
また、場合によっては、釘５が温水パイプ６を貫通していても、直ぐには発見できないことがあり、このような場合には、後で居住者に大きな迷惑をかけることになる。
【０００５】
このような理由から、釘５が温水パイプ６にかかった場合に発生する水漏れ等の重大なトラブルを防ぐために、次のような水漏れ検査方法が提案されている。
例えば、特開２００４−０３６９８６号公報には、「温水式床暖房設備において、水漏れ箇所を簡単にポイントで確実に発見することができると共に複数箇所での水漏れも確実に発見できる水漏れ調査方法を提供する」ために、「図面又はボックスアタッカー等を用いて室内における温水マットの位置出しを行ない、次に釘位置出し用磁石を用いて床材の上から釘の位置出しを行って、この釘の位置出し箇所をマーキングし、次に、ＭΩ計２０にアース線を接続し、次に、ＭΩ計２０のセンサを前記マーキング箇所に当てて、全ての釘位置において絶縁抵抗値を測定し、この絶縁抵抗値が最も低い箇所又は基準レベル以下のところを水漏れ箇所と判定する」方法が開示されている。
【０００６】
更に、特開平０６−２３５６７５号公報には、「容易に、しかも迅速に水漏れ箇所を検出できる床暖房装置の水漏れ検出方法」として、「床に埋設される放熱管に所定温度の温水を還流させるとともに、赤外線カメラにより床の温度分布を測定し、表示部で表示される床の温度分布の表示画像を目視することにより水漏れ個所を検出する」方法が開示されている。
【０００７】
更に、特開平１０−１０４１０９号公報には、「温水パネルの温水パイプに圧力を加えて、圧力の低下を監視する損傷監視方法では、損傷を確実に検出できない場合があり、以後に水漏れを起こすことがあり、そして施工時に損傷を検出することができないと、損傷が判明してからの補修に要する費用、手間が多大になってしまう」という問題を解決するために、「樹脂製温水パイプをパネル本体内に配設すると共に、上面側に導電層を積層して構成するか、又は温水パイプの外周に導電層を積層した床暖房用温水パネルの上側に床板を施工する際、上記導電層の個所と、この導電層とは絶縁されていて温水パイプ内の水に通電可能な個所の夫々に検出用電線を介して検出装置を接続して、上記個所間の抵抗の変化を監視する」温水パネルの損傷検出方法が開示されている。
【０００８】
更に、特開２００４−６９２６１号公報には、「床暖房システムの施工直後に漏水がなくても施工異常を検査することができる施工異常検査方法」として、「温水樹脂管が張り巡らされたマット本体の上面にアルミニウム製シート（導電層）が設けられた床暖房温水マットと、床暖房温水マットの上面側に設けられた床仕上げ材とから構成される床暖房システムにおける施工異常を検査する施工異常検査方法であって、床仕上げ材の上面に第１の電極を設置し、温水樹脂管内の液体に通電可能な箇所に第２の電極を設置し、第１の電極と第２の電極との間に交流電圧を印加してインピーダンスを測定し、このインピーダンスの変化を利用して、釘（導電性部材）により温水樹脂管が損傷したかを検査する」方法が開示されている。
【特許文献１】特開２００４−０３６９８６号公報
【特許文献２】特開平０６−２３５６７５号公報
【特許文献３】特開平１０−１０４１０９号公報
【特許文献４】特開２００４−６９２６１号公報
【発明の開示】
【発明が解決しようとする課題】
【０００９】
しかし、上記公知の水漏れ検査方法は、いずれも釘が温水パイプにかかった場合であって、かからない場合には見過ごされてしまう。
また、検査を行うためには機器を用意し、かつ作業に時間と手間がかかる。
このような訳で、誤って釘打ち箇所を間違う機会の少ない温水マットの提案が望まれている。特に、図５に示した従来の温水マットの場合、誤った位置に釘打ちを行う危険性のある領域Ａは、一枚のマット本体１において上下辺１ａ、１ｂに沿って２ヶ所となり、図７に示すように、中間で２つ折りができるように形成した大型のマットの場合には、前記禁止領域Ａは２ヶ所増えて、全部で４ヶ所になってしまう。
本発明は、この禁止領域Ａを半減することで、誤って釘打ちする可能性を従来の１/２に軽減できる床暖房用温水マットを提案するのが目的である。
【課題を解決するための手段】
【００１０】
上記目的を達成するため、請求項１に記載の発明においては、床暖房用温水マットにおいて、ａ．四角形から成る一枚のマット本体の対向する上下の辺から、それぞれ同一ピッチで平行に小根太を挿入したこと、
ｂ．前記対向して挿入した小根太のそれぞれの先端間には、前記小根太で区画された直近の配管領域に温水パイプを横断させるための配管横断スペースを形成したこと、
ｃ.前記配管横断スペースと横並びとなる位置に、前記小根太と平行に補助小根太を挿入したこと、
ｄ.床仕上げ用のフローリング材であって、前記配管横断スペース上を横断し、且つ前記補助小根太にかかるものの場合には、前記小根太に併せて、この補助小根太に釘打ちして固定し、それ以外の位置のフローリング材は、前記小根太にそれぞれ釘打ちして固定すること、
ｅ．を特徴とするものである。
【００１１】
更に、請求項２に記載の発明においては、床暖房用温水マットにおいて、ａ．四角形から成り、この中間で２つ折りに折り畳み線で折り畳むことができるマット本体の場合には、前記折り畳み線及びこの折り畳み線と対向する上下の辺から、それぞれ同一ピッチで平行に小根太を挿入したこと、
ｂ．前記対向して挿入した小根太のそれぞれの先端間には、前記小根太で区画された直近の配管領域に温水パイプを横断させるための配管横断スペースを形成したこと、
ｃ.前記配管横断スペースと横並びとなる位置に、前記小根太と平行に補助小根太を挿入したこと、
ｄ.床仕上げ用のフローリング材であって、前記配管横断スペース上を横断し、且つ前記補助小根太にかかるものの場合には、前記小根太に併せて、この補助小根太に釘打ちして固定し、それ以外の位置のフローリング材は、前記小根太にそれぞれ釘打ちして固定すること、
ｅ．を特徴とするものである。
【００１２】
更に、請求項３に記載の発明においては、請求項１又は２に記載の床暖房用温水マットにおいて、前記マット本体に平行に挿入された小根太間であって、配管領域の中央にマット本体の折り畳み線がかかる場合には、この折り畳み線にかかる部位を外して前記補助小根太を挿入するか、この折り畳み線がかかる配管領域には、補助小根太を挿入しないこと、を特徴とするものである。
【００１３】
更に、請求項４に記載の発明においては、請求項１又は２又は３に記載の床暖房用温水マットにおいて、前記補助小根太は、小根太間の前記配管領域ごとに挿入されていること、を特徴とするものである。
【００１４】
更に、請求項５に記載の発明においては、請求項１又は２又は３に記載の床暖房用温水マットにおいて、前記補助小根太は、必要に応じて間引きして挿入されていること、を特徴とするものである。
【００１５】
更に、請求項６に記載の発明においては、請求項１に記載の床暖房用温水マットにおいて、マット本体を二枚敷きに敷設する場合には、二枚のマット本体の上辺側を中間でそれぞれ突き合わせて二枚のマット本体のそれぞれの小根太が一直線上に連続するよう敷設すること、を特徴とするものである。
【発明の効果】
【００１６】
本発明は以上のように、四角形のマット本体に対して対向する辺からそれぞれ小根太を挿入し、この挿入した小根太の先端間に配管横断スペースを空けると共に、この配管横断スペースにかかるように補助小根太を挿入することにより、一枚のマット本体において、配管が小根太を迂回するときの横断領域を１ヶ所又は折り畳み式マットにおいては２ヶ所に半減することができる。
この結果、従来のマット本体の場合、釘打ち禁止領域Ａは配管がＵターンする上辺と下辺に沿った上下２ヶ所又は折り畳み式のマットにおいては、４ヶ所あったのに対し、本発明では、１ヶ所又は２ヶ所だけとなり、この分、誤って釘打ちする確率を従来の１／２とすることができる。
【実施例１】
【００１７】
本発明の床暖房用温水マットは、図１に示すように、マット本体１は、平面視（正面視）四角形から成り、このマット本体１には、上辺１ａ及び下辺１ｂから内方に向けて小根太２ａ及び２ｂがそれぞれ挿入されている。
そして、上記小根太２ａ及び２ｂの先端間には、温水パイプ６の配管横断スペース１０が空けてある。
また、左右の小根太２ａと２ｂの間及びマット本体１の左右端の配管領域には、前記配管横断スペース１０に対して横並びとなる位置に補助小根太１１が小根太２ａ、２ｂと平行に挿入されている。
なお、この補助小根太１１は、マット本体１の折り畳み線Ｘ−Ｘ´がかかる配管領域には挿入しないか（図１）、又はこの折り畳み線Ｘ−Ｘ´を避けた位置（ズラした位置）に挿入してもよい。
また、補助小根太１１は、小根太２ａ、２ｂの行間において、不要な行間及び一番端の行外においては、その挿入を省略することができる。
【００１８】
このマット本体１において、温水ヘッダー７から引き出された２本の温水パイプ６は、図１に示すように、左及び右回りでそれぞれ配管横断スペース１０で仕切られた下側の配管領域に配管され、その後で上側の配管領域に移行し、マット本体１の小根太２ａ間を一巡したあと、下側の配管領域に移行してここでも小根太２ａ間を一巡し、温水ヘッダー７に帰還するように配管されている。
なお、本実施例１のマット本体１は、上下の幅が１８１８ｍｍ、左右の幅が２６８２ｍｍであって、小根太２ａの長さは１１５４．５ｍｍ、小根太２ｂの長さは５４８．５ｍｍ、小根太２ａ、２ｂの先端の間隔は１１５ｍｍ、補助小根太１１の長さは１５０ｍｍ、小根太２ａ、２ｂのピッチは３０３ｍｍに設定されている。但し、マット本体１上における配管横断スペース１０の位置は、小根太２ａ、２ｂの長さの比率を同一に変えて任意の位置にくるように設定することができる。
【００１９】
本実施例１のマット本体１を敷設する際、フローリング材４が丁度配管横断スペース１０のところに来たときは、この補助小根太１１に釘打ちを行い固定する。
したがって、本実施例１の場合、釘打ち禁止領域Ａは、従来の２ヶ所から、配管横断スペース１０のところの図１において−領域だけとなるため、間違って釘打ちする危険性（確率）は従来の１／２となる。
【実施例２】
【００２０】
図２に示すように、四角形から成り、この中間で２つ折りに折り畳み線Ｙ−Ｙ´で上下に折り畳むことができるマット本体１の場合には、前記折り畳み線Ｙ−Ｙ´と対向する上下の辺１ａ、１ｂから、それぞれ図１と同じように小根太２ａ、２ｂを挿入し、配管横断領域１０を上下２ヶ所に設け、補助小根太１１も図１と同じように挿入する。
この結果、本実施例２のマット本体１は、折り畳み線Ｙ−Ｙ´を中間として上下対象のデザインになる。また、配管パターンも上下対象となる。
【実施例３】
【００２１】
本実施例３は、図１に示した実施例１のマット本体１を二枚敷きとする場合であって、この場合は、図３に示すように、マット本体１の上辺１ａを互いに突き合わせ、それぞれ逆向きとなるように配置する。このとき、温水ヘッダー７は、１ヶとしても良いが、それぞれに温水ヘッダー７を持たせるようにしても良い。
但し、マット本体１は、突き合わせるのではなく、上下に並べるように、又は横に並べるようにして、敷設しても良い。
フローリング材４は、実施例１と同様、配管横断スペース１０のところにおいては、補助小根太１１に釘打ちを行う。
この結果、本実施例３の場合も、釘打ち禁止領域は上下の２箇所となり、この場合も間違って釘打ちする確率は従来例の１／２となる。
【図面の簡単な説明】
【００２２】
【図１】実施例１のマット本体（温水マット）の説明図
【図２】実施例２のマット本体（温水マット）の説明図
【図３】実施例３のマット本体（温水マット）の説明図
【図４】温水マット及びフローリング床施工状態の説明図
【図５】従来のマット本体（温水マット）と釘打ち禁止領域の説明図
【図６】Ａ−Ａ´線断面図
【図７】従来の折り畳み式マット本体における釘打ち禁止領域の説明図
【符号の説明】
【００２３】
１  マット本体
２ａ、２ｂ  小根太
３  アルミシート
４  フローリング材
５  釘
６  温水パイプ
１０  配管横断スペース
１１  補助小根太
【図１】
2009002624.tif 000003
【図２】
2009002624.tif 000004
【図３】
2009002624.tif 000005
【図４】
2009002624.tif 000006
【図５】
2009002624.tif 000007
【図６】
2009002624.tif 000008
【図７】
2009002624.tif 000009